(57)【要約】【課題】  利用者が装着時に歩数計の傾きを容易に調整できるようにすること。【解決手段】  歩数を計測する歩数計ユニット１と、歩数計ユニット１を回転支持部１２で回転可能に結合して収納する外ケース５と、外ケース５に対する歩数計ユニット１の取り付け角度を利用者が自分の利用形態に合うように調整する角度調整機構とで歩数計は構成されている。前記角度調整機構は、歩数計ユニット１の外側の下部両側面に形成された１組の係合凸部１３と、外ケース５の内側の下部両側面の前記凸部１３に対応する位置に３組の凹部１４ａ、１４ｂ、１４ｃをそれぞれ形成して構成した。なお、前記歩数計ユニット１は、振り子等の構成部品を収納した上ケース２と前記振り子等の構成部品を覆い保護する下ケース３とで構成されている。【選択図】    図２
2005174235.tif 000002
【特許請求の範囲】
【請求項１】
人間が歩行する際の上下動から発生する加速度を振り子の先端に付けた錘の移動を検出して歩数を計測する構成部品を収納した上ケースと、
前記構成部品を覆い保護する下ケースと、
前記下ケースの背面に取り付けられた装着手段と、
前記下ケースに対する前記上ケースの傾きを示すインジケーターを取り付けたことを特徴とする歩数計。
【請求項２】
振り子を含む構成部品を収納した上ケースと、
前記構成部品を覆い保護する下ケースと、
人間が歩行する際の上下動から発生する加速度を振り子の先端に付けた錘の移動を検出して歩数を計測する歩数計ユニットと、
前記歩数計ユニットを底面側の上端部で軸回転可能にして収納する外ケースと、
前記外ケースの背面に取り付けられた装着手段と、
前記外ケースに対する前記歩数計ユニットの取り付け角度を利用者が自分の利用形態に合うように調整する角度調整機構とで構成された歩数計。
【請求項３】
前記下ケースに対する前記上ケースの傾きを示すインジケーターを有する請求項２記載の歩数計。
【請求項４】
前記角度調整機構は、前記歩数計ユニットの外側の下部両側面に形成された１組の係合凸部と、前記外ケースの内側の下部両側面の前記係合凸部に対応する位置に形成された複数組の係合凹部とで構成されていることを特徴とする請求項２又は３に記載の歩数計。
【請求項５】
前記角度調整機構は、前記歩数計ユニットの外側の下部両側面に形成された１組の係合凸板と、前記外ケースの内側の下部両側面の前記係合凸板に対応する位置に形成された１組の係合凹溝とで構成され、前記係合凸板は外部操作手段によって前進又は後退させられるものであることを特徴とする請求項２又は３に記載の歩数計。
【請求項６】
前記インジケーターは、前記上ケース又は前記下ケースのいずれか一方に自在に回転可能に軸支された回転表示板を含むものであること特徴とする請求項１、３４及び５のいずれかに記載の歩数計。
【発明の詳細な説明】
【技術分野】
【０００１】
本発明は、人間が歩行する際の上下動から発生する加速度を利用して歩数を計測する歩数計に関する。
【背景技術】
【０００２】
歩数計には、人間が歩行する際の上下動から発生する加速度を利用して歩数を計測する歩数計と、特開平９−２２３２１４号公報（特許文献１）に開示されている如き２次元センサ付き歩数計がある。２次元センサ付き歩数計は、歩数計本体の向き、姿勢にかかわらず、上下方向の振動成分を検出できるものであるから、利用者はベルトなどに装着しないで携帯しても歩数の計測が可能であるという特長を有するが、構造と制御が複雑になるという問題がある。そのため、人間が歩行する際の上下動から発生する加速度を利用して歩数を計測する歩数計が一般的である。
【０００３】
特開平２００１−２２７９８０号公報（特許文献２）には、人間が歩行する際の上下動から発生する加速度を利用して歩数を計測する歩数計であって、外周を覆うように形成されたハウジングと、ハウジングに設けられた軸と、歩数計モジュールが前記軸を中心として回転可能にハウジング内に軸支されるように構成された歩数計が開示されている。このような構成により、歩数計モジュールはハウジングが回転してもその位置が常に水平に保たれるようにした構造の歩数計が開示されている。この歩数計は、歩数計の取り付け角度によって歩数カウント精度の変わらないという効果を発揮するというものである。
【０００４】
しかしながら、このような構成でも上述の効果を発揮できない場合が少なくない。例えば、肥満体の利用者がズボンのベルトに歩数計を装着すると、歩数計は必然的に状態になってしまう。このような状態で装着された場合には、歩数計の感度は低くなり、正確な歩数の計測ができなくなってしまう。要するに、ベルトを締める位置が腹部の中央付近で締める利用者や、腹部の下部で締める利用者など人によって様々であること、利用者の体型も様々であることに鑑みれば、特許文献２に開示の歩数計は感度が低くなり、正確な歩数の計測ができなくなる場合も少なくないのである。
【０００５】
より詳細に説明すると、人間が歩行する際の上下動から発生する加速度を利用して歩数を計測する歩数計は、図１０〜図１１に示す如く、歩数を検出する歩数検出スイッチ、前記歩数検出スイッチの信号により歩数を積算する集積回路、計測した歩数を表示する表示手段、それらに電流を供給する電池等の部品を組み込んだ上ケース２と、電子部品等を覆い保護する下ケース３とで構成されている。歩数計を利用者のベルト等に装着するための装着手段であるフック４やクリップは、下ケース３の背面に取り付けられている。
【０００６】
この歩数計において、通常時は、振り子腕部７の先端に取り付けられた錘９は、振り子腕部７に取り付けられたバネ１０の反発力によりその重量と釣り合い、一定の高さに位置している。上下方向の加速度を受けた時に、バネ１０の反発力とのバランスが崩れて、錘９は下方に動く。加速度の大きさと錘９の移動は比例の関係にあり、加速度が大きくなれば移動量も大きくなる。錘９が検出すべき値以上の加速度を受けた時に移動する量から設定された電気接点１１の位置に達することにより、電気接点１１又は磁気リードスイッチをオンにして歩数を計測している。なお、磁気リードスイッチを用いる場合、錘９には磁石が取り付けられている。このように上下動を利用しているため、歩数計は水平に装着されている時が最も感度が高く、逆に水平が保たれていないときは感度が低くなってしまう。
【０００７】
振り子腕部７の先端に錘９を取り付けた加速度検出部材を利用した歩数計においては、通常時は振り子腕部７に取り付けたバネ１０の反発力と錘９の重量を釣り合わせて、錘９の位置は接点の上方に位置している。この時の重力は振り子腕部７の中心付近に向かっており、振り子腕部７とその回転軸は直角に保たれている。しかしながら、歩数計が前後に傾いた場合、振り子腕部７の先端に取り付けた錘９の重力は、振り子腕部７の中心から大きく外れ、振り子腕部７とその回転軸との間に軋みが発生し、振り子の回転力を著しく減衰させる。そのために振り子の回転量も減少し、ある値以上の上下方向の加速度がかかったにもかかわらず、錘９の位置が予め設定された位置に到達せず、電気接点１１をオンにすることが出来ないという問題が発生している。従って、人間が歩行する際の上下動から発生する加速度を利用して歩数を計測する歩数計においては、歩数計が利用者のベルト等に水平が保たれて装着されていないと感度が低く、正確な歩数の計測ができないという問題がある。
【特許文献１】特開平９−２２３２１４号公報（第４ページ、図２）
【特許文献２】特開２００１−２２７９８０号公報（第２ページ、図１）
【発明の開示】
【発明が解決しようとする課題】
【０００８】
本発明が解決しようとする第１の課題は、利用者が装着時に歩数計の傾きを容易に把握できるようにすることである。
【０００９】
本発明が解決しようとする第２の課題は、利用者が装着時に歩数計の傾きを容易に調整できるようにすることである。
【課題を解決するための手段】
【００１０】
上記第１の課題を解決するために、振り子を利用した歩数検出スイッチ、前記歩数検出スイッチの信号により歩数を積算する集積回路、計測した歩数を表示する表示手段、それらに電流を供給する電池等の部品を組み込んだ上ケースと、電子部品等を覆い保護する下ケースと、下ケースの背面に取り付けられた装着手段とから構成されて歩数計に、インジケーターを取り付けた。
【００１１】
上記第２の課題を解決するために、歩数を計測する歩数計ユニットと、歩数計ユニットを上端部で軸回転可能にして収納する外ケースと、外ケースに対する歩数計ユニットの取り付け角度を利用者が自分の利用形態に合うように調整する角度調整機構とで歩数計を構成した。
【発明の効果】
【００１２】
本発明により、利用者が装着時に歩数計の傾き量を容易に調整することができるようになったので、利用者がした状態で歩数計をベルトに装着しても、振り子を利用した歩数検出スイッチは水平に保たれ、正確な歩数計測が可能になった。
【発明を実施するための最良の形態】
【００１３】
本発明に係る歩数計は、歩数計ユニットを底面側の上端部で軸回転可能にして収納する外ケースと、前記外ケースの背面に取り付けられた装着手段と、前記外ケースに対する前記歩数計ユニットの取り付け角度を利用者が自分の利用形態に合うように調整する角度調整機構とで構成されている。そして、前記角度調整機構を、前記歩数計ユニットの外側の下部両側面に１組の係合凸部を、且つ前記外ケースの内側の下部両側面の前記凸部に対応する位置に３組の係合凹部を形成して構成した。なお、前記歩数計ユニットは、振り子等の構成部品を収納した上ケースと前記振り子等の構成部品を覆い保護する下ケースとで構成されている。
【実施例１】
【００１４】
本発明の実施例１は、図１〜図３に示す如く、歩数計ユニット１と、歩数計ユニット１を底面側の上端部で軸回転可能にして収納する外ケース５と、外ケース５の背面に取り付けられた装着手段であるフック４と、外ケース５に対する歩数計ユニット１の取り付け角度を利用者が自分の利用形態に合うように調整する角度調整機構とで構成された歩数計である。歩数計ユニット１は、歩数を検出する歩数検出スイッチ、前記歩数検出スイッチの信号により歩数を積算する集積回路、計測した歩数を表示する表示手段、それらに電流を供給する電池等の部品を組み込んだ上ケース２と、電子部品等を覆い保護する下ケース３とで構成されている。
【００１５】
前記歩数検出スイッチは、一端を回転軸６ａに自在に回転可能にして振り子支持座８で支持された振り子腕部７と、振り子腕部７の先端に取り付けられた錘９と、通常時には振り子腕部７を初期位置に保持するバネ１０と、加速度により設定量を超えて回転移動した錘９によって作動させられる電気接点１１とで構成されている。回転軸６ａは、振り子台６に一体に形成されている。
【００１６】
歩数計ユニット１の外ケース５の底面側の上端部と外ケース５の対応する上端部は回転支持部１２で結合されている。また、歩数計ユニット１の外側の下部両側面には１組の係合凸部１３が形成され、且つ外ケース５の内側の下部両側面には係合凸部１３に対応する位置に３組の係合凹部１４ａ、１４ｂ、１４ｃが形成されている。
【００１７】
上述の如く構成された実施例１の歩数計において、歩数計ユニット１に形成された係合凸部１３と外ケース５に形成された係合凹部１４ａ、１４ｂ、１４ｃとの組み合わせを変更するのは、外ケース５を弾性変形させて凹と凸のかみ合いを解除しながら回転支持部１２を枢軸にして歩数計ユニット１を回転させて行う。例えば、歩数計が垂直に装着されているならば、図２（Ａ）（Ｂ）に示す如く、歩数計ユニット１の係合凸部１３は外ケース５に形成された係合凹部１４ａと係合させる。また、歩数計が大きくして装着されているならば、図３（Ａ）（Ｂ）に示す如く、歩数計ユニット１の係合凸部１３は外ケース５に形成された係合凹部１４ｃと係合させる。垂直位置と大きくした位置の中間の状態で装着されている場合には、歩数計ユニット１の係合凸部１３は外ケース５に形成された係合凹部１４ｂと係合させる。このようにして、のない装着状態から、した装着状態に対応して、利用者は歩数計ユニット１を外ケース５に対して２段階で角度を容易に調整することができる。従って、歩数計をベルト等にして装着しても、歩数計ユニット１を垂直に保持し、振り子を利用した歩数検出スイッチは水平に保たれるので、正確な歩数の計測が可能である。
【実施例２】
【００１８】
本発明の実施例２は、図４〜図５に示す如く、歩数計ユニット１と、歩数計ユニット１を底面側の上端部で軸回転可能にして収納する外ケース５と、外ケース５の背面に取り付けられた装着手段であるフック４と、外ケース５に対する歩数計ユニット１の取り付け角度を利用者が自分の利用形態に合うように調整する角度調整機構とで構成された歩数計である。歩数計ユニット１は、歩数を検出する歩数検出スイッチ、前記歩数検出スイッチの信号により歩数を積算する集積回路、計測した歩数を表示する表示手段、それらに電流を供給する電池等の部品を組み込んだ上ケース２と、電子部品等を覆い保護する下ケース３とで構成されている。前記歩数検出スイッチは、実施例１と同じである。
【００１９】
歩数計ユニット１の外ケース５の底面側の上端部と外ケース５の対応する上端部は回転支持部１２で結合されている。外ケース５の内側の下部両側面には１組の係合凹溝１５ａ、１５ｂが形成されている。更に、歩数計ユニット１と外ケース５との角度調整を行う角度調整手段が、歩数計ユニット１の下ケース３に配置されている。前記角度調整手段は、左凸板１６ａと右凸板１６ｂ、左凸板用バネ部１７ａと右凸板用バネ部１７ｂ、左凸板摺動溝１８ａと右凸板摺動溝１８ｂ、押え板１９、プッシュボタン２０、及びプッシュボタン摺動ピン２１とで構成されている。左凸板摺動溝１８ａと右凸板摺動溝１８ｂにはプッシュボタン摺動ピン２１が係合している。
【００２０】
プッシュボタン２０の頭部が歩数計ユニット１の側面から突出した状態の通常時には、図４（Ａ）（Ｂ）に示す如く、左凸板１６ａは右凸板用バネ部１７ｂによってその先端を左係合凹溝１５ａに係合させ、且つ右凸板１６ｂは右凸板用バネ部１７ｂによってその先端は右係合凹溝１５ｂに係合させ、これによって歩数計ユニット１は外ケース５にロックされ、外ケース５に対する角度調整はできない状態にある。換言すれば、角度調整が終了した後は、前記角度調整手段によってその角度が安定して保持されるのである。
【００２１】
プッシュボタン２０の頭部が押されると、図５（Ｂ）に示す如く、プッシュボタン摺動ピン２１は左凸板用バネ部１７ａを介して左凸板１５ａを右方向に移動させ、左凸板１５ａと左係合凹溝１４ａとの係合を解除させる。同時に、プッシュボタン摺動ピン２１は右凸板用バネ部１７ｂを介して右凸板１５ｂを左方向に移動させ、右凸板１５ｂと右係合凹溝１４ｂと係合を解除させる。このようにして、歩数計ユニット１は外ケース５からアンロックされ、外ケース５に対する角度調整が可能な状態になる。この状態で、利用者は歩数計ユニット１を外ケース５に対して最適な角度に調整し、プッシュボタン２０のプッシュ操作を終了させる。要するに、外部操作手段であるプッシュボタン２０によって、左凸板１５ａと右凸板１５ｂを左右に移動させることにより、歩数計ユニット１と外ケース５との結合をロックし又はアンロックするものである。
【００２２】
実施例２の歩数計の角度調整手段において、左右の係合凹溝１４ａ、１４ｂを回転支持部１２を中心にした円弧状に形成すれば、４５度程度の範囲で無段階の角度調整が可能となる。
【実施例３】
【００２３】
本発明の実施例３は、図６〜図７に示す如く、歩数を検出する歩数検出スイッチ、前記歩数検出スイッチの信号により歩数を積算する集積回路、計測した歩数を表示する表示手段、それらに電流を供給する電池等の部品を組み込んだ上ケース２と、電子部品等を覆い保護する下ケース３と、インジケーターとで構成されている。前記歩数検出スイッチは、実施例１と同じである。
【００２４】
前記インジケーターは、一端を回転支持部２４に軸支され他端に表示部２５が設けられた細長い回転表示板２３と、上ケース２又は下ケース３に設けられた貫通孔２６とで構成されている。貫通孔２６は、表示部２５に対応する位置において、上ケース２又は下ケース３に設けられている。表示部２５は、例えば青色の着色部である。
【００２５】
回転表示板２３は自重により回転支持部２４から垂直にぶら下がっており、歩数計が傾いていないときは、貫通孔２６と表示部２５が同じ位置になり、貫通孔２６から表示部２５の青色が見える。従って、利用者はこの青色の表示を見て、歩数計が垂直に装着されていることを確認することができる。
歩数計が傾いたときは、貫通孔２６の位置が表示部２５の位置とずれてしまい、貫通孔２６から表示部２５の青色が見えなくなる。従って、利用者は歩数計が垂直に装着されていないことを確認することができる。そして、貫通孔２６から表示部２５の青色が見えるように歩数計を装着し直すことができる。
【実施例４】
【００２６】
本発明の実施例４は、図８〜図９に示す如く、実施例１の歩数計に、歩数計の内部の側面に自在に軸回転可能にして取り付けられた細長い回転表示板２３を含むインジケーターとで構成されている。
【００２７】
前記インジケーターは、一端を回転支持部１２に軸支され他端に表示部２５が設けられた細長い回転表示板２３と、上ケース２又は下ケース３に設けられた貫通孔２６、及び外ケース５に設けられたインジケーター窓２７とで構成されている。インジケーター窓２７は回転支持部１２を中心とした円弧上に形成された細長い貫通溝である。また、表示部２５は青色の着色部である。
【００２８】
回転表示板２３は自重により回転支持部１２から垂直にぶら下がっており、歩数計が傾いていないときは、表示部２５はインジケーター窓２７の右端に位置し、貫通孔２６と表示部２５が同じ位置になり、貫通孔２６から表示部２５の青色が見える。従って、利用者はこの青色の表示を見て、歩数計が垂直に装着されていることを確認することができる。
歩数計が傾いたときは、貫通孔２６の位置が表示部２５の位置とずれてしまい、貫通孔２６から表示部２５の青色が見えなくなる。従って、歩数計が垂直に装着されていないことを確認することができる。そして、貫通孔２６から表示部２５の青色が見えるように歩数計ユニット１を外ケース５に対して適切な角度に調整し直すことができる。
【産業上の利用可能性】
【００２９】
本発明は、人間が歩行する際の上下動から発生する加速度を利用して歩数を計測する歩数計、即ち一般的な市販の歩数計に適用できるものである。
【図面の簡単な説明】
【００３０】
【図１】下ケースを外した状態で且つ主要構成部材のみを示した実施例１の歩数計の正面図である。
【図２】垂直に装着された状態における実施例１の歩数計の左側面から見た断面図（Ａ）と、分離して示した歩数計ユニットと外ケースの左側面図（Ｂ）である。
【図３】して装着された状態における実施例１の歩数計の左側面から見た断面図（Ａ）と、分離して示した歩数計ユニットと外ケースの左側面図（Ｂ）である。
【図４】角度調整機構によって外ケースと歩数計ユニットがロック状態で結合されている実施例２の正面図（Ａ）と平面図（Ｂ）である。
【図５】角度調整機構によって外ケースと歩数計ユニットがロック状態で結合されている実施例２の歩数計の左側面から見た断面図（Ａ）と、角度調整機構によって外ケースと歩数計ユニットがアンロック状態で結合されている実施例２の正面図（Ｂ）である。
【図６】下ケースを外した状態で且つ歩数計の要部のみを示した実施例３の正面図である。
【図７】垂直に装着された状態の実施例３の歩数計の右側面図（Ａ）と、して装着された状態の実施例３の歩数計の右側面図（Ｂ）である。
【図８】下ケースを外した状態で且つ歩数計の要部のみを示した実施例４の歩数計の正面図（Ａ）と、実施例４の歩数計の左側面図（Ｂ）である。
【図９】垂直に装着された状態の実施例４の歩数計の左側面図（Ａ）と、して装着された状態の実施例４の歩数計の左側面図（Ｂ）である。
【図１０】下ケースを外した状態で且つ主要構成部材のみを示した従来の歩数計の正面図である。
【図１１】垂直に装着された状態における従来の歩数計の左側面から見た断面図（Ａ）と、して装着された状態における従来の歩数計の左側面から見た断面図（Ｂ）である。
【符号の説明】
【００３１】
１  歩数計ユニット
２  上ケース
３  下ケース
４  フック
５  外ケース
６  振り子台
７  振り子腕部
８  振り子支持座
９  錘
１０  バネ
１１  電気接点
１２  回転支持部
１３  係合凸部
１４、１４ａ、１４ｂ、１４ｃ  係合凹部
１５ａ、１５ｂ  係合凹溝
１６ａ、１６ｂ  凸板
１７ａ、１７ｂ  凸板用バネ
１８ａ、１８ｂ  凸板用摺動溝
１９  押え板
２０  プッシュボタン
２１  プッシュボタン摺動ピン
２３  回転表示板
２４  回転支持部
２５  表示部
２６  貫通孔
２７  インジケーター窓
【図１】
2005174235.tif 000003
【図２】
2005174235.tif 000004
【図３】
2005174235.tif 000005
【図４】
2005174235.tif 000006
【図５】
2005174235.tif 000007
【図６】
2005174235.tif 000008
【図７】
2005174235.tif 000009
【図８】
2005174235.tif 000010
【図９】
2005174235.tif 000011
【図１０】
2005174235.tif 000012
【図１１】
2005174235.tif 000013